(57)【要約】  荷物の取付け又は保持のためのスリングが開示されている。該スリングは、両端部５，６を有する織物チューブ４又はチューブ状の織物もしくは編物から成り、両端部間に存在する残りの織物チューブより、該両端部のうちの一方の端部は、より細いか又はほぼ等寸法であり、他方の端部は、より太いか又は等寸法である。両端部５，６は、細い方の端部５が太い方の端部６に挿入されることにより、結合箇所７を形成し、前記細い方の端部５が、結合箇所７の区域に少なくとも１つの縫い目８を備え、それにより、結合箇所７が所定強度において従来の重ね合わせ式端部より薄く又は短く又は細く構成される。これらのスリングはスキー、登山、作業安全分野に使用される。
2005514538.tif 000002
【特許請求の範囲】
【請求項１】
荷重の取付け又は保持のためのスリングにおいて、
織物チューブ（４）又はチューブ状の織物もしくは編物が両端部（５，６）を有し、該両端部のうちの一方の端部が、両端部間に存在する残りの織物チューブより狭幅か又はほぼ等しい大きさに構成され、他方の端部が、より広幅か又は等しい大きさに構成されており、
前記両端部（５，６）は、狭幅の端部（５）が広幅の端部（６）に挿入されることにより、結合箇所（７）を形成し、該結合箇所（７）の区域に、両端部（５，６）を結合する少なくとも１つの縫い目（８）が形成され、それにより、結合箇所（７）が、従来の重ね合わせ式端部より薄く、又は短く、又は狭幅に構成され、しかも所定強度が得られることを特徴とする、荷重の取付け又は保持のためのスリング。
【請求項２】
前記スリングが、上下の面（１５，１５′）のところで、従来の重ね合わせた端部より約５０％薄い結合箇所（７）を有し、しかも両端（５，６）の移行部が短いことを特徴とする、請求項１に記載されたスリング。
【請求項３】
互いにはめ合わされるか、継ぎ合わされるかして、各１重の織物ではなく各２重の織物を縫合した端部（５，６）の結合箇所（７）が、著しくより高い引張り強さを有することを特徴とする、請求項１又は請求項２に記載されたスリング。
【請求項４】
一方の端部（６）がチューブで、他方の端部（５）が非弾性的、半弾性的、部分弾性的、弾性的のいずれかのバンドである端部（５，６）が、互いにはめ合わされた結合箇所（７）を備え、端部の縫合部が、著しくより高い引張り強さを有し、かつ結合箇所の厚さがより僅かであることを特徴とする、請求項１から請求項３までのいずれか１項に記載されたスリング。
【請求項５】
織物チューブ（４）が、別の少なくとも１箇所で、残りの織物チューブ部分よりも横断面が薄く又は狭く構成され、このため少なくとも１つの狭い区域又は細い箇所（９）を有していることを特徴とする、請求項１から請求項４までのいずれか１項に記載されたスリング。
【請求項６】
前記織物チューブ（４）が、少なくとも１箇所をバンドとして、また他の少なくとも１箇所をコードとして構成されており、かつこれらの箇所は任意の順序で連ねることができ、端部がそれぞれ差しはめられることで結合されることを特徴とする、請求項１から請求項５までのいずれか１項に記載されたスリング。
【請求項７】
前記織物チューブ（４）が引張り索（１１）を有し、該引張り索が織物チューブ内に自由配置され、織物チューブが、引張り索用のエッジ及び／又は切断部の保護外套として役立つことを特徴とする、請求項１から請求項６までのいずれか１項に記載されたスリング。
【請求項８】
前記織物チューブ（４）が弾性的で引張り索（１１）が非弾性的であること、又は織物チューブ（４）が非弾性的で引張り棒（１１）が弾性的であることを特徴とする、請求項１から請求項７までのいずれか１項に記載されたスリング。
【請求項９】
前記織物チューブ（４）が、細い区域（９）でコードとして構成されていることを特徴とする、請求項１から請求項８までのいずれか１項に記載されたスリング。
【請求項１０】
前記織物チューブ（４）が、弾性、延伸特性、切断強さ、引裂き強さ、耐摩耗性の点で異なる材料の組み合わせから成り、これにより軽量にもかかわらず、最適の引張り強さ、耐摩耗性、切断強さが達せられていることを特徴とする、請求項１から請求項１０までのいずれか１項に記載されたスリング。
【請求項１１】
織物チューブ（４）が、ダイネーマ、ケヴラー、アラミド、ポリエステル、ポリアミドから成る高強度の繊維の組み合わせから成ることを特徴とする、請求項１から請求項１０までのいずれか１項に記載されたスリング。
【請求項１２】
請求項１から請求項１１までのいずれか１項に記載されたスリングの登攀スポーツでの使用。
【請求項１３】
請求項１から請求項１１までのいずれか１項に記載されたスリングの、登攀用スリング又は作業安全分野での留めスリングとしての使用。
【請求項１４】
請求項１から請求項１１までのいずれか１項に記載されたスリングの、スキーのストック、又はスキー及びスノーボードのビンディングへの使用。
【請求項１５】
請求項１から請求項１１までのいずれか１項に記載されたスリングの、リュックサックの負い帯としての使用。
【発明の詳細な説明】
【技術分野】
【０００１】
本発明は、請求項１に記載のスリング（Schlinge）及び請求項１２から請求項１３に記載のスリング使用に関するものである。
【背景技術】
【０００２】
スリングは、織物バンド又はチューブバンドで作られ、無端の輪（Endlosscllinge）ができるように縫合して製造される。これらのスリングは、要求される規格強度を得るため、縫合箇所が厚くなる欠点がある。更に、織物は、縫合箇所での縫合による強度損失を補償するために、高い強度を有するように構成し編織せねばならない。同じように、規定強度に達するには、特定の幅又は厚さのバンド材料が、使用材料の強度を失うことなく、横糸及び縦糸により特定の編織形式で編織されなければならない。
スリングは、しかし、とりわけスポーツ、レジャー、趣味、作業の安全の各分野の場合、断面は極めて小さく、縫合箇所では出来るだけ僅かな厚さで、軽量であるのがよい。
【０００３】
米国特許第５，８７３，６１３号（ＵＳ  ５，８７３，６１３）による公知の機械式部材（mechanisches Element）では、端部が重ねられたバンド状スリングを介して登攀用ザイルと結合されている。この部材の欠点は、重なった端部を結合する縫合箇所が２５〜３０％の強度損を伴う点である。加えて、この縫合箇所のため、ストッパ部材の滑りが著しく阻害されるため、摩耗も著しくなる。
米国特許第５，８２９，３７４号（ＵＳ  ５，８２９，３７４）により、特別に縫合された端部がザイルに結合された形式が公知であるが、この結合形式は、高い端部結合強度を得るための特別な特性を有している。
【０００４】
更に、米国特許第４，３９６，０９１号（ＵＳ  ４，３９６，０９１）により公知のスリングは、安全ベルト又はハーネスに固定され、自己調整式に調節可能である。
米国特許第４，０８３，５２１号（ＵＳ  ４，０８３，５２１）により公知の登攀スポーツ用機械式部材の場合、該部材が、スリング又はザイルスリングと結合されている。
【発明の開示】
【発明が解決しようとする課題】
【０００５】
本発明の課題は、結合箇所が著しく太くならず、重量が僅かで、しかも高い強度を有するスリングを提案することである。
【課題を解決するための手段】
【０００６】
本発明により、この課題は特許請求の範囲第１項の記載のスリングと、同第１２項から第１５項までに記載の使用とにより解決された。
以下で、本発明を、図面につき具体的に説明する。
【発明を実施するための最良の形態】
【０００７】
図１は、公知の１スリングを示している。スリング１０は、例えば織物のバンド１から成り、端部２，２′が互いに重ね合わされ、縫合されている。これによって生じる縫合箇所３は、既述の欠点である望ましくない厚みを有している。
【０００８】
図２は、本発明によるスリングを示している。スリング２０は、端部５，６を有する織物チューブ４又はチューブ状編織物から成り、両端部の間の残りの織物チューブ４に対して、一方の端部５が、より細く又はほぼ等寸法に構成され、他方の端部６が、より太く又はほぼ等寸法に構成されている。こうすることで、端部５は、より太い、口径の広い端部６内へ挿入でき、あるいはまた互いにはめ合わされることができ、それによって結合箇所７が形成され、結合区域では、双方の端部が少なくとも１つの縫い目８により結合される。
結合箇所７は、こうすることで、従来の重ね合わせ端部の場合より薄手に、短く、細く構成されながら、所定の強度を備えている。このスリングは、厚さ／幅比が出来るだけ小さい横断面を有している。また、このスリングは、任意の種類の荷重を取付けたり保持したりするのに適している。
【０００９】
このスリングは、取付け部材、例えばカラビナ、鉤、環、プラスチック部材、アルミニウムロッド、鋼管等と結合されるか、掛けはめられるか、あるいはまた何らかの部材が射出成形又は鋳造により付加されて、それらの箇所に出来るだけ小さいスリング直径又は横断面が形成されるようにされる。
スリングは、特定箇所が他の箇所より大きい横断面を有するチューブ形状になるように、製織、編成、編組、からみ織り、もじり織り、製網される。次に、両端が無端形式にまとめられ、輪が形成され、直径又は横断面を適合させることで、一方の端部が他方の端部内に収まるようにする。互いに差しはめられた両端は、縫合、溶着、機械式固定のいずれかによって結合され、端部の面が２重になることで高い結合強度が得られる。
これらのスリングは、無端形状の完全な輪として使用される。この形式のスリングは、転落防止システム、ザイル、ベルト、落下緩衝器等の固定用か、又は鉤類、ビーム類、柱や梁類、鉄の棒類等への固定用の留めスリングとして使用される。
【００１０】
図３には、細い区域を有するスリングが示されている。結合箇所７は、図２の形式で平らに形成されており、上面と下面１５，１５′を有している。これによって、このスリングは、上下の面１５，１５′のところで、およそ５０％だけ従来の重ね合わせ式に両端の場合より薄手の結合箇所を有し、両端の移行部は、より小さく短くなっている。
互いにはめ合わされるか、継ぎ合わされるかして、各１重の織物ではなく各２重の織物を縫合した端部５，６の結合箇所７は、著しく高い引張り強さを有している。
端部５，６は、必ずしも等しい材料で製造する必要はない。したがって、材料の選択は、広く使用目的に合わせて行うことができる。例えば、一方の端部６はチューブで、他方の端部５が非弾性的、半弾性的、部分弾性的、弾性的のいずれかの帯バンド材料にする。この場合、端部の縫合部は、より高い引張り強さを有し、しかも結合箇所は、より細いものになる。
【００１１】
スリング２０の結合箇所７と向かい合った側には、カラビナ等をはめ込むさい、材料をいたわるために、細い箇所９又は細い区域が設けられている。
この織物チューブ４は、別の少なくとも１箇所が、残りの織物チューブよりも横断面が薄く又は細く構成され、これにより、少なくとも１つの細い区域又は細い箇所９を有するものとなる。更に、織物チューブ４は、少なくとも１箇所をバンドとして、また他の少なくとも１箇所をコードとして構成でき、しかも、これらの箇所を任意の順序で連ねることができ、両端は、それぞれ差し込んで結合できる。
【００１２】
図４は、引張り索を有するスリングを示している。スリング２０は、織物チューブ４内に多数の引張り索１１を有し、該引張り索は、ポリエステル、ダイネーマ（Dyneema）、アラミド等の材料による高い強度を有するか、又は落下緩衝作用を有する延伸可能な材料から成っている。引張り索１１は、織物チューブ４内に自由配置されるか、又は部分的に織物と結合される。また、引張り索１１は、結合箇所７では周囲の織物チューブと縫合されている。これにより織物チューブが、引張り索用のエッジ及び／又は切断部の保護外套として役立っている。
織物チューブ４は弾性的に、引張り索１１は非弾性的に構成されているが、また織物チューブ４を非弾性的に、引張り索１１を弾性的に構成してもよい。
この織物チューブ４は、弾性、延伸特性、切断強さ、引裂き強さ、耐摩耗性が異なる材料の組み合わせから成り、これによって、軽量にもかかわらず、最適の引張り強さ、耐摩耗性、切断強さが達せられる。この織物チューブ４の場合、使用されるのは、ダイネーマ、ケヴラー（Kevlar）、アラミド、ポリエステル、ポリアミドから成る高強度の繊維の組み合わせである。
【００１３】
図５には、取付け用の小横断面の部分を有するスリングが示されている。このスリング２０は、両側に小横断面部１２，１２′を有している。ここには、カラビナ、留め環、鋼製留金、鉄製保持具、類似の止め部品又は部材等の取付け部材が取付けられる。
図６には、小横断面部と結合箇所の大きい横断面の部分とを有するスリングが示されている。スリング２０は、３箇所に小横断面部１３，１３′，１３″を有し、結合箇所７に大きい横断面の部分を有している。このスリングは、とりわけ３箇所がカラビナ取付けに適している。
【実施例１】
【００１４】
図７には、カラビナはめ込み用の小横断面部（７ｍｍのバンド）と、結合箇所の大横断面部（１９ｍｍのバンド、縫合部）とを有するスリングの第１実施例が示されている。スリング２０は、一定長さ延伸可能で、延伸後は高い最終強さを有する弾性的又は半弾性的な材料、例えば合成ゴム又はアラミド、ダイネーマ、ＰＥＮ（ポリエステル）から成る。このスリングは、長さは６０ｃｍであり、２０％延伸した場合、長さは７０ｃｍから８０ｃｍとなる。
スリングの長さは、横断面に相応して２０ｃｍから最大３ｍまでの間で変更できる。
【実施例２】
【００１５】
図８に示すスリングの第２実施例は、弾性的な部分１６と高強度に縫合されている。織物チューブ４と弾性的な部分１６とは、縦糸が同じである。弾性的な部分１６には、別の横糸材料を選択することで、弾性的な特性が生じる。したがって、この部分には別種の織物構造又は別の編組構造が出来上がる。弾性的な部分１６を間挿することで、チューブ端部内で間挿部分が弾性結合される。
このスリングは、特にストッパ部材又は登攀スポーツ用具、例えばアイスピッケル等に結合するのに適している。
【実施例３】
【００１６】
図９に示した第３実施例では、スリングが、小横断面部と、掛け吊されたカラビナと、かんぬき止めされた結合箇所の大横断面部とを有している。このスリング２０では、結合箇所７にかんぬき止め１４が施されているが、この形式は、高い強度と僅かな厚さが保証される多くの可能な結合形式の１つに過ぎない。
【実施例４】
【００１７】
図１０に示したスリングの第４実施例では、スキーストックにスリングの細い部分と弾性的な部分とが取付けられ、端部区域が高強度に縫合されている。織物チューブ４と、弾性的な部分１６と、結合箇所７とを有するこのスリング２０は、細い区域９を有し、この区域にスキーストック１７が取付けられる。織物チューブ４は幅広に構成され、普通行われるように、手を支えるのに役立つ。これによってばね作用が得られ、衝撃が緩衝されたり、張力が働けば、スリングが拡張したりする。
この部分的に弾性的な、半弾性的スリングは、スキーやスノーボードのビンディングにも使用される。
【実施例５】
【００１８】
図１１に示した第５実施例で、スリングが弾性的な部分を有し、リュックサックの負い帯（Rucksackgurte）として構成されている。織物チューブ４と、弾性的な部分１６と、結合箇所７とを有するスリング２０は、肩に載る広幅部分１８を備えている。織物チューブ４は、細い区域９がリュックサック１９の裏側に結合されている。このスリングは、荷重緩衝作用を有すると同時に、高い強度も有している。
【図面の簡単な説明】
【００１９】
【図１】公知のスリングの図。
【図２】本発明によるスリングの図。
【図３】細い区域を有するスリング。
【図４】引張り索を有するスリング。
【図５】取付け用の小横断面部を有するスリング。
【図６】結合箇所に小横断面部と大横断面部を有するスリング。
【図７】カラビナはめ込み用の小横断面部と、結合箇所の大横断面部とを有するスリングの第１実施例（Ausfuhrungsbeispiel）の図。
【図８】高強度の弾性的な縫合部を有するスリングの第２実施例の図。
【図９】小横断面部と、掛け吊るされたカラビナと、かんぬき止めされた結合箇所の大横断面部とを有するスリングの第３実施例の図。
【図１０】細い区域と弾性的な部分とがスキーのストックに取付けられ、部分区域が高強度に縫合されたスリングの第４実施例の図。
【図１１】弾性部分を有し、リュックサックの負い帯として構成されたスリングの第５実施例の図。
【図１】
2005514538.tif 000003
【図２】
2005514538.tif 000004
【図３】
2005514538.tif 000005
【図４】
2005514538.tif 000006
【図５】
2005514538.tif 000007
【図６】
2005514538.tif 000008
【図７】
2005514538.tif 000009
【図８】
2005514538.tif 000010
【図９】
2005514538.tif 000011
【図１０】
2005514538.tif 000012
【図１１】
2005514538.tif 000013
【国際調査報告】
2005514538.tif 000014
2005514538.tif 000015
2005514538.tif 000016
2005514538.tif 000017
2005514538.tif 000018
2005514538.tif 000019